(57)【要約】【課題】  宛先登録時に誤った宛先の登録を防止することにより、ジョブの実行時に誤送信を防止することができる宛先登録方法、プログラムおよび装置、および画像処理装置を提供する。【解決手段】  操作パネル３を操作して宛先番号を２回入力すると、メインＣＰＵ２０は、入力された２回の宛先番号が一致しているか判定し、一致している場合は、その入力された宛先番号を短縮情報記憶部２８ａの短縮情報リストに登録する。その後、ジョブに短縮番号が設定されると、通信部２９は、短縮番号に対応するファクス番号のファクシミリ装置１０１に通信網１０１を介してファクシミリ送信する。【選択図】    図１
2007036477.tif 000002
【特許請求の範囲】
【請求項１】
宛先情報を複数回入力する入力ステップと、
前記複数回入力された複数の前記宛先情報に基づいて前記宛先情報の正誤を判定する判定ステップと、
前記判定ステップで正しいと判定された宛先情報を登録する登録ステップとを含むことを特徴とする宛先登録方法。
【請求項２】
前記判定ステップは、前記複数の宛先情報が相互に一致した場合に前記宛先情報が正しいと判定することを特徴とする請求項１に記載の宛先登録方法。
【請求項３】
前記登録ステップで登録された前記宛先情報は、ジョブ実行時に使用されることを特徴とする請求項１に記載の宛先登録方法。
【請求項４】
前記登録ステップは、前記判定ステップで正しいと判定された前記宛先情報を前記宛先情報よりも少ない語数の短縮情報とともに短縮情報リストに登録することを特徴とする請求項１に記載の宛先登録方法。
【請求項５】
前記登録ステップは、前記判定ステップで正しいと判定された前記宛先情報をファクシミリ送信処理あるいは電子メール送信処理を含むジョブフローに登録することを特徴とする請求項１に記載の宛先登録方法。
【請求項６】
前記ジョブフローは、ファクシミリ受信処理あるいは電子メール受信処理と、前記ファクシミリ受信処理あるいは前記電子メール受信処理された受信データをプリントするプリント処理とをさらに含むことを特徴とする請求項５に記載の宛先登録方法。
【請求項７】
前記判定ステップは、前記入力ステップで入力された前記複数の宛先情報が誤りであると判定したとき、宛先情報を再度入力させる再入力ステップと、再度入力された宛先情報が前記入力ステップで入力された複数の宛先情報のいずれかと一致したとき、その一致した宛先情報を正しいと判定する再判定ステップとを含むことを特徴とする請求項１に記載の宛先登録方法。
【請求項８】
前記再入力ステップは、前記入力ステップで入力された前記複数の宛先情報が誤りであると判定したとき、その旨を表示する表示ステップを含むことを特徴とする請求項７に記載の宛先登録方法。
【請求項９】
請求項１乃至８のいずれかに記載の宛先登録方法をコンピュータに実行させるための宛先登録プログラム。
【請求項１０】
記憶手段と、
宛先情報を入力する入力手段と、
前記入力手段により宛先情報が複数回入力されたとき、複数の前記宛先情報に基づいて前記宛先情報の正誤を判定する判定手段と、
前記判定手段により正しいと判定された宛先情報を前記記憶手段に登録する登録手段とを備えたことを特徴とする宛先登録装置。
【請求項１１】
宛先情報を入力する入力手段と、
前記入力手段により宛先情報が複数回入力されたとき、複数の前記宛先情報に基づいて前記宛先情報の正誤を判定する判定手段と、
前記判定手段により正しいと判定された前記宛先情報を前記宛先情報よりも少ない語数の短縮情報とともに短縮情報リストに登録する登録手段と、
ファクシミリ送信処理もしくは電子メール送信処理の実行時に指定された前記短縮情報に対応する前記宛先情報によって特定される宛先に送信データを送信する送信手段とを備えたことを特徴とする画像処理装置。
【請求項１２】
宛先情報を入力する入力手段と、
前記入力手段により宛先情報が複数回入力されたとき、複数の前記宛先情報に基づいて前記宛先情報の正誤を判定する判定手段と、
ファクシミリ受信処理若しくは電子メール受信処理、前記ファクシミリ受信処理若しくは前記電子メール受信処理された受信データをプリントするプリント処理、又はファクシミリ送信処理若しくは電子メール送信処理を含むジョブフローを作成するとともに、前記ジョブフローに前記ファクシミリ送信処理若しくは前記電子メール送信処理が含まれるとき、前記判定手段により正しいと判定された宛先情報を前記ジョブフローに登録するジョブフロー作成手段と、
前記ジョブフロー作成手段によって作成された前記ジョブフローを実行する実行手段とを備えたことを特徴とする画像処理装置。
【発明の詳細な説明】
【技術分野】
【０００１】
本発明は、ファクシミ（ＦＡＸ）あるいは電子メール（Ｅメール）の宛先を登録する宛先登録方法、プログラムおよび装置、およびファクシミリ装置、複合機等の画像処理装置に関する。
【背景技術】
【０００２】
近年、個人情報保護法の施行などにより、ファクシミリ装置等の画像処理装置には、誤送信による機密情報漏洩防止など、そのセキュリティ機能の強化が求められている。
【０００３】
また、従来より複写機にファクシミリ、スキャナ、プリンタ等の複数の機能を統合した複合機が実用化されている。このような複合機において、各処理を連携させて自動化させたものが提案されている（例えば、特許文献１参照。）
【０００４】
この複合機では、ジョブフロー（複数の処理手順を定義したコマンド）のようにＦＡＸやＥメールの宛先を登録しておき、そのジュブフローを選択すると、ジョブを実行する際に、既に登録されているＦＡＸやＥメールの宛先にデータを送信することができる。
【０００５】
また、近年、ファクシミリ装置の多機能化により、受信した画像信号を予め登録されている転送先に自動転送可能なファクシミリ装置（例えば、特許文献２参照。）や、受信した画像信号を予め登録されている複数の同報先ファクシミリ装置に送信する中継ファクシミリ送受信機（例えば、特許文献３参照。）も提案されている。
【特許文献１】特開２００４−２８７８５９号公報
【特許文献２】特開平５−１８３７２０号公報
【特許文献３】特開平５−１８４９９号公報
【発明の開示】
【発明が解決しようとする課題】
【０００６】
しかし、従来の複合機によると、誤った宛先を登録している場合には、短縮番号を指定して発呼をした場合、誤送信をしてしまうという問題がある。また、それに気づかずにその短縮番号を使用していると、何度も誤送信を繰り返す可能性もある。更に、ジョブフローの場合は、ＦＡＸの受信、Ｅメールの受信などに対して、自動実行（転送）させることもできるため、誤った宛先を登録させないことはより重要である。
【０００７】
従って、本発明の目的は、宛先登録時に誤った宛先の登録を防止することにより、ジョブの実行時に誤送信を防止することができる宛先登録方法、プログラムおよび装置、および画像処理装置を提供することにある。
【課題を解決するための手段】
【０００８】
本発明の一態様は、上記目的を達成するため、宛先情報を複数回入力する入力ステップと、前記複数回入力された複数の前記宛先情報に基づいて前記宛先情報の正誤を判定する判定ステップと、前記判定ステップで正しいと判定された宛先情報を登録する登録ステップとを含むことを特徴とする宛先登録方法を提供する。
【０００９】
上記宛先登録方法によれば、複数回入力された複数の宛先情報に基づいて宛先情報の正誤が判定され、正しいと判定された宛先情報のみが登録されるので、誤った宛先情報に送信データが送信されるのを防ぐことができる。
【００１０】
宛先情報は、ファクス番号、電子メールアドレス等の宛先を特定するものをいい、数字、英文字、記号等で表される。宛先情報の入力方法は、Ａ〜Ｚ等のボタンに宛先情報が割り当てられたワンタッチボタン、０〜９等のテンキーに宛先情報の短縮番号が割り当てられた短縮ボタン、テンキー等を用いることができるが、その方法は限定されない。送信データには、ファクシミリデータ，電子メールデータ等が含まれる。
【００１１】
前記判定ステップは、前記複数の宛先情報が相互に一致した場合に前記宛先情報が正しいと判定する構成でもよい。また、宛先情報を３回以上入力させ、２回以上一致した場合にそれを正しい宛先情報としてもよい。
【００１２】
前記登録ステップで登録された前記宛先情報は、ジョブ実行時に使用される構成とすることができる。
【００１３】
前記登録ステップは、前記判定ステップで正しいと判定された前記宛先情報を前記宛先情報よりも少ない語数の短縮情報とともに短縮情報リストに登録する構成とすることができる。短縮情報は宛先情報よりも少ない語数からなるので、宛先の指定が容易となる。短縮情報には、文字、記号、図形等が含まれる。
【００１４】
前記登録ステップは、前記判定ステップで正しいと判定された前記宛先情報をファクシミリ送信処理あるいは電子メール送信処理を含むジョブフローに登録する構成とすることができる。
【００１５】
前記ジョブフローは、ファクシミリ受信処理あるいは電子メール受信処理と、前記ファクシミリ受信処理あるいは前記電子メール受信処理された受信データをプリントするプリント処理とをさらに含むものとしてもよい。
【００１６】
前記判定ステップは、前記入力ステップで入力された前記複数の宛先情報が誤りであると判定したとき、宛先情報を再度入力させる再入力ステップと、再度入力された宛先情報が前記入力ステップで入力された複数の宛先情報のいずれかと一致したとき、その一致した宛先情報を正しいと判定する再判定ステップとを含む構成でもよい。
【００１７】
本発明の一態様は、上記目的を達成するため、上記宛先登録方法をコンピュータに実行させるための宛先登録プログラムを提供する。
【００１８】
上記宛先登録プログラムによれば、ユーザの希望に対応させてステップの変更、追加、削除等を容易に行うことができる。
【００１９】
本発明の一態様は、上記目的を達成するため、記憶手段と、宛先情報を入力する入力手段と、前記入力手段により宛先情報が複数回入力されたとき、複数の前記宛先情報に基づいて前記宛先情報の正誤を判定する判定手段と、前記判定手段により正しいと判定された宛先情報を前記記憶手段に登録する登録手段とを備えたことを特徴とする宛先登録装置を提供する。
【００２０】
上記宛先登録装置によれば、登録手段は、複数回入力された複数の宛先情報に基づいて判定手段により正しいと判定された宛先情報のみを記憶手段に登録するので、誤った宛先情報に送信データが送信されるのを防ぐことができる。
【００２１】
本発明の一態様は、上記目的を達成するため、宛先情報を入力する入力手段と、前記入力手段により宛先情報が複数回入力されたとき、複数の前記宛先情報に基づいて前記宛先情報の正誤を判定する判定手段と、前記判定手段により正しいと判定された前記宛先情報を前記宛先情報よりも少ない語数の短縮情報とともに短縮情報リストに登録する登録手段と、ファクシミリ送信処理もしくは電子メール送信処理の実行時に指定された前記短縮情報に対応する前記宛先情報によって特定される宛先に送信データを送信する送信手段とを備えたことを特徴とする画像処理装置を提供する。
【００２２】
上記画像処理装置によれば、登録手段は、複数回入力された複数の宛先情報に基づいて判定手段により正しいと判定された宛先情報のみを短縮情報リストに登録するので、誤った宛先情報に送信データが送信されるのを防ぐことができる。
【００２３】
本発明の一態様は、上記目的を達成するため、宛先情報を入力する入力手段と、前記入力手段により宛先情報が複数回入力されたとき、複数の前記宛先情報に基づいて前記宛先情報の正誤を判定する判定手段と、ファクシミリ受信処理若しくは電子メール受信処理、前記ファクシミリ受信処理若しくは前記電子メール受信処理された受信データをプリントするプリント処理、又はファクシミリ送信処理若しくは電子メール送信処理を含むジョブフローを作成するとともに、前記ジョブフローに前記ファクシミリ送信処理若しくは前記電子メール送信処理が含まれるとき、前記判定手段により正しいと判定された宛先情報を前記ジョブフローに登録するジョブフロー作成手段と、前記ジョブフロー作成手段によって作成された前記ジョブフローを実行する実行手段とを備えたことを特徴とする画像処理装置を提供する。
【００２４】
上記画像処理装置によれば、ジョブフロー作成手段は、複数回入力された複数の宛先情報に基づいて判定手段により正しいと判定された宛先情報のみをジョブフローに登録するので、誤った宛先情報に送信データが送信されるのを防ぐことができる。
【発明の効果】
【００２５】
本発明によれば、宛先登録時に誤った宛先の登録を防止することにより、ジョブの実行時に誤送信を防止することができる。
【発明を実施するための最良の形態】
【００２６】
［第１の実施の形態］
図１は、本発明の実施の形態に係る複合機のブロック図である。この複合機１は、コピー機能、プリンタ機能、スキャン機能、ファクシミリ機能、電子メール機能等の複数の機能を有し、複合機１全体を制御するコントローラ２と、ユーザの操作によって各種の入力が可能な操作パネル３と、原稿から画像を読み取って入力する画像入力部４と、用紙に画像を印刷して出力する画像出力部５とを備え、通信網１００を介してファクシミリ装置１０１およびパーソナルコンピュータ（ＰＣ）１０２が接続されている。なお、同図では、ファクシミリ装置１０１およびＰＣ１０２は、それぞれ１台図示されているが、台数は限定されない。
【００２７】
「コピー機能」とは、画像入力部（スキャナ）で読み取られた画像データを画像出力部によって用紙に印刷する機能をいい、「プリンタ機能」とは、ＰＣから送信された画像データを画像出力部によって用紙に印刷する機能をいい、「スキャン機能」とは、画像入力部で読み取られた画像データを指定されたＰＣ等の外部装置に転送する機能いい、「ファクシミリ機能」とは、画像データを電話回線等の通信網を介して送受信する機能をいい、「電子メール機能」とは、ＰＣ等の外部装置との間で画像データを電話回線等の通信網を介して送受信する機能をいう。
【００２８】
操作パネル３は、原稿の読み取り開始、あるいはファクシミリ送信の開始を指示するスタートボタン、コピーやファクシミリ送信作業を中止するストップボタン、テンキー等の複数のボタンの他、タッチパネルディスプレイ３０を備える。タッチパネルディスプレイ３０は、液晶ディスプレイ等の表示部と、この表示部の上に重合配置された入力部からなる。入力部は、表示部に表示された各項目の表示位置に対応する入力部の部分を押圧することによって入力操作が行えるようになっている。
【００２９】
画像入力部４は、原稿が１枚ずつ載置される原稿台と、原稿を自動的に１枚ずつ原稿台に供給するＡＤＦ（自動給紙装置）と、原稿台に載置された原稿、あるいはＡＤＦから供給された原稿から画像を光学的に読み取る画像読取部とを備えている。
【００３０】
画像出力部５は、画像を電子写真プロセス方式により用紙に印刷するものである。電子写真プロセスは、感光体に対する帯電，現像，クリーニングを繰り返すことにより実現される。なお、画像出力部５は、インクジェット方式、感熱転写方式等の他の方式を採用したものでもよい。
【００３１】
コントローラ２は、このコントローラ２および複合機１全体を制御するメインＣＰＵ２０を有し、このメインＣＰＵ２０に、バス２１を介して、パネルＩ／Ｆ２２、ページメモリ２３が接続された入力部Ｉ／Ｆ２４、出力部Ｉ／Ｆ２５、システムメモリ２６、圧縮・伸長部２７、短縮情報リスト記憶部２８ａ、ジョブフロー記憶部２８ｂ、および通信部２９を接続して構成されている。
【００３２】
パネルＩ／Ｆ２２、入力部Ｉ／Ｆ２４および出力部Ｉ／Ｆ２５は、それぞれ操作パネル３、画像入力部４および画像出力部５との間で情報の送受信を行うものである。
【００３３】
ページメモリ２３は、画像入力部４によって読み取られた画像を入力部Ｉ／Ｆ２４を介してページ単位で記憶するものである。
【００３４】
システムメモリ２６には、後述する図５、図１０のフローチャートに示すようなＣＰＵ２０の動作プログラムや、後述する図２〜図４、図６〜図８に示すような画面等の各種のデータが記憶されている。
【００３５】
圧縮・伸長部２７は、ファクシミリデータを送信する際にデータを圧縮し、ファクシミリデータを受信した際にデータを伸長するものである。
【００３６】
短縮情報リスト記憶部２８ａには、ファクス番号、短縮情報としての短縮番号、宛先名等が登録される短縮情報リストが記憶されている。短縮情報リストに登録されている短縮番号を指定すれば、対応するファクス番号のファクシミリ装置へ画像データを送信することができる。
【００３７】
ジョブフロー記憶部２８ｂには、定義されたジョブフローが記憶される。ジョブフローを指定することにより、ジョブフローの内容が実行されるようになっている。ここで、「ジョブフロー」とは、複数の処理を連携して行う処理（連携処理）をいう。この連携処理には、複数の処理を順次行う場合や、複数の処理を並行して行う場合がある。
【００３８】
通信部２９は、公衆回線，ネットワーク等の通信網１００に接続され、相手のファクシミリ装置１０１との間でファクシミリの送受信が行えるように構成されている。また、ＰＣ１０２から複合機１が有する機能を通信網１００を介して利用できるようにも構成されている。例えば、ＰＣ１０２で作成した送信データを複合機１によりファクシミリや電子メールの送受信を行うことができる。
【００３９】
通信網１００には、電話回線、ＩＳＤＮ、インターネット、ＬＡＮ等が含まれ、有線、無線を問わない。
【００４０】
（本実施の形態の動作）
次に、本実施の形態の動作を図１〜図１０を参照し説明する。図２〜図４は、短縮登録に関してタッチパネルディスプレイ３０に表示される画面を示し、図５は、短縮登録に関するフローチャートである。図６〜図９は、ジョブフローの作成に関してタッチパネルディスプレイ３０に表示される画面を示し、図１０は、ジョブフローの作成に関するフローチャートである。なお、以下の動作説明では、複合機１が有する複数の機能のうちファクシミリ機能の動作について説明する。また、特に記載がない場合は、メインＣＰＵ２０が行うものとする。
【００４１】
（１）短縮登録
図１〜図５を参照して短縮登録について説明する。まず、ユーザが、操作パネル３のタッチパネルディスプレイ３０に表示されているメニュー画面から短縮登録を選択すると（Ｓ１）、コントローラ２のメインＣＰＵ２０は、タッチパネルディスプレイ３０に短縮登録画面を表示する。
【００４２】
図２は、その短縮登録画面を示す。この短縮登録画面２００には、設定項目表示欄２０１、現在の設定値表示欄２０２、表示欄２０１，２０２をスクロール表示するスクロールボタン２０３、画面を戻す「閉じる」キー２０４、登録した設定値すべてを削除する「すべての登録内容を削除」キー２０５、および設定値を設定または変更する「設定/変更」キー２０６が表示される。
【００４３】
設定項目表示欄２０１には、宛先（ファクス番号）、宛先名、索引文字、内線／外線、中継指示局登録等の設定項目が表示され、これらの設定項目についてテンキー等の操作によって登録できるようになっている。設定項目について設定値を登録すると、現在の設定値表示欄２０２に登録内容が表示される。なお、図２の短縮登録画面２００に示すように、宛先（ファクス番号）が未入力の場合、各設定項目の現在の設定値表示欄２０２には宛先未設定と表示され、宛先名、索引文字等の各設定項目は選択できない。つまり、宛先（ファクス番号）が未入力の状態では、宛先名、索引文字等の各設定項目は入力できないようになっている。宛先（ファクス番号）が入力されると、各設定項目のデフォルト値が現在の設定値表示欄２０２に表示され、各項目の設定を実施することができるようになる。宛先名は、短縮登録する宛先（ファクス番号）と関連付けられた名称であり、宛先指示時に相手先を見つけやすく、そして間違わないようにする為に設定するが、設定しなくても良い。索引文字は、短縮を検索する為のキーワードである。ユーザは、ＦＡＸ宛先指示時に、登録したキーワードを入力することにより、該当短縮の絞込みを実施することができるようになる。内線/外線は、内線オプションが装着された場合のみ表示される項目である。宛先（ファクス番号）が入力されると、デフォルトで外線が設定/表示される。中継指示局登録は、中継局IDとして本短縮番号が指定された場合に、中継局として動作するか否かを設定する項目である。
【００４４】
ユーザが、図２の短縮登録画面２００に対し、「宛先（ファクス番号）」の設定項目を押下して選択すると（Ｓ２）、コントローラ２のメインＣＰＵ２０は、タッチパネルディスプレイ３０に宛先入力画面を表示する（Ｓ３）。
【００４５】
図３は、その宛先入力画面を示す。この宛先入力画面３００には、メッセージ表示領域３０１、宛先番号入力領域３０２、入力した宛先番号を決定する「決定」ボタン３０３、および入力した宛先番号を取り消す「取り消し」ボタン３０４が表示される。メッセージ表示領域３１には、例えば、「宛先番号を入力してください。」のような操作案内のメッセージが表示される。
【００４６】
ユーザは、宛先入力画面３００に対し、テンキーを操作して宛先番号、すなわちファクス番号を入力し（Ｓ４）、「決定」ボタン３０３を押下する（Ｓ５）。入力したファクス番号は宛先番号入力領域３０２に表示される。ここでは、ファクス番号として「１２３４５６００００」が入力された場合を示す。
【００４７】
メインＣＰＵ２０は、１回目に入力されたファクス番号を図示しないメモリに保持し（Ｓ６）、タッチパネルディスプレイ３０に宛先再入力画面を表示する（Ｓ７）。
【００４８】
図４は、その宛先再入力画面を示す。この宛先再入力画面４００には、メッセージ表示領域４０１、宛先番号入力領域４０２、入力した宛先番号を決定する「決定」ボタン４０３、および入力した宛先番号を取り消す「取り消し」ボタン４０４が表示される。メッセージ表示領域４１には、「宛先番号を再入力してください。」のような操作案内のメッセージが表示される。
【００４９】
ユーザは、宛先再入力画面４００に対し、テンキーを操作して再度ファクス番号を入力し（Ｓ８）、「決定」ボタン４０３を押下する（Ｓ９）。入力したファクス番号は宛先番号入力領域４０２に表示される。
【００５０】
メインＣＰＵ２０は、上記ステップＳ４において入力された１回目のファクス番号と、上記ステップＳ８において入力された２回目のファクス番号とを照合し、一致するか否かを判定する（Ｓ１０）。メインＣＰＵ２０は、１回目と２回目のファクス番号が一致していた場合は（Ｓ１０：Ｙｅｓ）、そのファクス番号に係る登録処理を行う（Ｓ１１）。
【００５１】
登録処理では、宛先名、索引文字、内線／外線、中継指示局登録等の設定項目の登録を受け付ける。登録内容は、短縮番号とともに短縮情報リスト記憶部２８ａに登録される。短縮番号は自動設定でも手動設定でもよい。
【００５２】
上記ステップＳ１０において、１回目と２回目のファクス番号が一致していないと判定された場合は（Ｓ１０：Ｎｏ）、ファクス番号が異なる旨をタッチパネルディスプレイ３０に表示し（Ｓ１２）、上記ステップＳ７以降が実行される。
【００５３】
短縮登録が終了した後は、原稿を画像入力部４で読み取らせ、短縮番号を操作パネル３から入力してファクシミリ送信を指示することにより、原稿画像が短縮番号に対応するファクス番号で特定される宛先に送信される。
【００５４】
（２）ジョブフローの作成
図１、図６〜図１０を参照してジョブフローの作成について説明する。まず、ユーザが、操作パネル３のタッチパネルディスプレイ３０に表示されているメニュー画面からジョブフローの作成を選択すると（Ｓ２１）、コントローラ２のメインＣＰＵ２０は、タッチパネルディスプレイ３０にジョブフロー登録画面を表示する。
【００５５】
図６は、そのジョブフロー登録画面を示す。このジョブフロー登録画面６００には、設定項目表示欄６０１、現在の設定値表示欄６０２、表示欄６０１，６０２をスクロール表示するスクロールボタン６０３、画面を戻す「閉じる」キー６０４、入力した設定値を削除する「削除」キー６０５、および設定値を設定または変更する「設定/変更」キー６０６が表示される。
【００５６】
設定項目表示欄６０１には、名称、説明、メール送信、ファクス送信、ｉＦＡＸ送信等の設定項目が表示され、これらの設定項目に対し、テンキー等の操作によって登録できるようになっている。設定項目について設定値を登録すると、現在の設定値表示欄６０２に登録内容が表示される。名称はジョブフロー自体の名称であり他のジョブフローと識別する為に必須の設定である。説明は必須の設定項目ではない。ジョブの内容、宛先の内容などをジョブフローの詳細な説明を登録する。メール送信、ファクス送信、ｉＦＡＸ送信の項目は登録できるジョブの種類を示しており、現在の設定値表示欄６０２には、その宛先数を表示する。このジョブの表示項目は、マシンのオプション構成によって変化する。例えば、ＦＡＸオプションが装着されていない場合は、ファクス送信、ｉＦＡＸ送信の項目は表示されず、通常２ページ目に表示されているＳＭＢ転送、ＦＴＰ転送、プリントなどのジョブが設定項目として表示される。
【００５７】
ユーザが、図６のジョブフロー登録画面６００に対し、「ファクス送信」の設定項目を押下して選択すると（Ｓ２２）、コントローラ２のメインＣＰＵ２０は、タッチパネルディスプレイ３０に宛先種類指定画面を表示する。
【００５８】
図７は、その宛先種類指定画面を示す。この宛先種類指定画面７００には、宛先指定として「短縮番号」ボタン７０１ａおよび「新規宛先」ボタン７０１ｂが表示され、さらに、宛先/ファクス番号表示欄７０２、表示欄７０２をスクロール表示するクロールボタン７０３、画面を戻す「閉じる」キー７０４、登録した設定値を削除する「削除」キー７０５、および入力した設定値を確定または変更する「確認/変更」キー７０６が表示される。宛先/ファクス番号表示欄７０２には、登録済みの宛先名あるいはファクス番号が表示される。
【００５９】
ユーザが、図７の宛先種類指定画面７００に対して「新規宛先」ボタン７０１ａを押下すると（Ｓ２３）、メインＣＰＵ２０は、タッチパネルディスプレイ３０に宛先入力画面を表示する（Ｓ２４）。
【００６０】
図８は、その宛先入力画面を示す。この宛先入力画面８００には、メッセージ表示領域８０１、宛先番号入力領域８０２、入力した宛先番号を決定する「決定」ボタン８０３、および入力した宛先番号を取り消す「取り消し」ボタン８０４が表示される。メッセージ表示領域８０１には、例えば、「宛先番号を入力してください。」のような操作案内のメッセージが表示される。
【００６１】
ユーザは、図８の宛先入力画面８００に対し、テンキーを操作して宛先番号、すなわちファクス番号を入力し（Ｓ２５）、「決定」ボタン８０３を押下する（Ｓ２６）。入力したファクス番号は宛先番号入力領域８０２に表示される。ここでは、ファクス番号として「１２３４５６００００」が入力された場合を示す。
【００６２】
メインＣＰＵ２０は、１回目に入力されたファクス番号を図示しないメモリに保持し（Ｓ２７）、タッチパネルディスプレイ３０に宛先再入力画面を表示する（Ｓ２８）。
【００６３】
図９は、その宛先再入力画面を示す。この宛先再入力画面９００には、メッセージ表示領域９０１、宛先番号入力領域９０２、入力した宛先番号を決定する「決定」ボタン９０３、および入力した宛先番号を取り消す「取り消し」ボタン９０４が表示される。メッセージ表示領域９０１には、「宛先番号を再入力してください。」のような操作案内のメッセージが表示される。
【００６４】
ユーザは、図９の宛先再入力画面９００に対し、テンキーを操作して再度ファクス番号を入力し（Ｓ２９）、「決定」ボタン９０３を押下する（Ｓ３０）。
【００６５】
メインＣＰＵ２０は、上記ステップＳ２５において入力された１回目のファクス番号と、上記ステップＳ２９において入力された２回目のファクス番号とを照合し、一致するか否かを判定する（Ｓ３１）。メインＣＰＵ２０は、１回目と２回目のファクス番号が一致していた場合は（Ｓ３１：Ｙｅｓ）、ジョブフローに今回のファクス宛先を登録する（Ｓ３２）。
【００６６】
上記ステップＳ３１において、１回目と２回目のファクス番号が一致していないと判定された場合は（Ｓ３１：Ｎｏ）、ファクス番号が異なる旨をタッチパネルディスプレイ３０に表示し（Ｓ３３）、上記ステップＳ２８以降が実行される。
【００６７】
宛先番号が登録されたジョブフローの作成が終了した後は、そのジョブフローは、メインＣＰＵ２０によりジョブフロー記憶部２８ｂに記憶される。その後、ユーザが操作パネル３によりジョブフロー記憶部２８ｂに記憶されているジョブフローを指定することにより、メインＣＰＵ２０によりジョブフローが実行される。
【００６８】
ジョブフローの一例としては、ＦＡＸ受信した文書データに対してＯＣＲ処理を行ってテキストデータを生成し、それをＥメール送信処理、ファクシミリ送信処理およびプリント処理を並行して行った後、フォルダに格納する処理を行うジョブフローがある。
【００６９】
（実施の形態の効果）
この実施の形態によれば、短縮登録時に誤った宛先の登録を防止しているので、ジョブの実行時に誤送信を防止することができる。また、ジョブフロー作成時に誤った宛先の登録を防止しているので、ジョブフローの実行時に誤送信を防止することができる。
【００７０】
なお、本発明は、上記実施の形態に限定されず、その発明の趣旨を逸脱しない範囲内で種々な変形が可能である。例えば、上記実施の形態では、本発明を複合機に適用した場合について説明したが、ファクシミリ専用装置やＰＣ等にも適用することができる。
【図面の簡単な説明】
【００７１】
【図１】本発明の実施の形態に係る宛先登録装置が適用された複合機のブロック図である。
【図２】本実施の形態に係る短縮登録画面を示す図である。
【図３】本実施の形態に係る宛先入力画面を示す図である。
【図４】本実施の形態に係る宛先再入力画面を示す図である。
【図５】本実施の形態に係る複合機の短縮登録に関するフローチャートである。
【図６】本実施の形態に係るジョブフロー登録画面を示す図である。
【図７】本実施の形態に係る宛先種類指定画面を示す図である。
【図８】本実施の形態に係る宛先入力画面を示す図である。
【図９】本実施の形態に係る宛先再入力画面を示す図である。
【図１０】本実施の形態に係る複合機のジョブフローの作成に関するフローチャートである。
【符号の説明】
【００７２】
１  複合機
２  コントローラ
３  操作パネル
４  画像入力部
５  画像出力部、
２０  メインＣＰＵ
２１  バス
２２  パネルＩ／Ｆ
２３  ページメモリ
２４  入力部Ｉ／Ｆ
２５  出力部Ｉ／Ｆ
２６  システムメモリ
２７  圧縮・伸長部
２８  宛先記憶部
２９  通信部
３０  タッチパネルディスプレイ
１００  通信網
１０１  ファクシミリ装置
１０２  ＰＣ
２００  短縮登録画面
２０１  設定項目表示欄
２０２  設定値表示欄
２０３  スクロールボタン
２０４  「閉じる」キー
２０５  「すべての登録内容を削除」キー
２０６  「設定/変更」キー
３００  宛先入力画面
３０１  メッセージ表示領域
３０２  宛先番号入力領域
３０３  「決定」ボタン
３０４  「取り消し」ボタン
４００  宛先再入力画面
４０１  メッセージ表示領域
４０２  宛先番号入力領域
４０３  「決定」ボタン
４０４  「取り消し」ボタン
６００  ジョブフロー登録画面
６０１  設定項目表示欄
６０２  設定値表示欄
６０３  スクロールボタン
６０４  「閉じる」キー
６０５  「削除」キー
６０６  「設定/変更」キー
７００  宛先種類指定画面
７０１ａ  「短縮番号」ボタン
７０１ｂ  「新規宛先」ボタン
７０２  ファクス番号表示欄
７０３  スクロールボタン
７０４  「閉じる」キー
７０５  「削除」キー
７０６  「確認/変更」キー
８００  宛先入力画面
８０１  メッセージ表示領域
８０２  宛先番号入力領域
８０３  「決定」ボタン
８０４  「取り消し」ボタン
９００  宛先再入力画面
９０１  メッセージ表示領域
９０２  宛先番号入力領域
９０３  「決定」ボタン
９０４  「取り消し」ボタン
【図１】
2007036477.tif 000003
【図２】
2007036477.tif 000004
【図３】
2007036477.tif 000005
【図４】
2007036477.tif 000006
【図５】
2007036477.tif 000007
【図６】
2007036477.tif 000008
【図７】
2007036477.tif 000009
【図８】
2007036477.tif 000010
【図９】
2007036477.tif 000011
【図１０】
2007036477.tif 000012